(57)【要約】【課題】コーナーなど狭い場所で設置し得る小型トイレ。汚れなく、汚さを感じないトイレ。【解決手段】背面を角型としてコーナーなどに設置可能とする。【選択図】        図４
2004218258.tif 000002
【特許請求の範囲】
【請求項１】
内角９０°壁面にも設置し得る背面を有する事を特徴とするコーナー設置可能トイレ。
【請求項２】
花柄等を設け、トイレの存在感を消却することを特徴とする請求項１記載のコーナー設置可能トイレ。
【発明の詳細な説明】
【０００１】
【発明が属する技術分野】
便器。
【０００２】
【従来の技術】
従来の小便器は平面な壁にしか設置されないので一定の設置面積を要した。
図１は公知のトイレの平面図を示し、図２は、図１の公知トイレの正面図を示す。図３は図１のトイレの側面図を示す。
公知のトイレは平面な壁２に沿って設置されるように設計されている為便器３は幅広であり場所をとり、使用する他隣者との間を隔てる遮蔽板４を設けた。５、５は公知便器の足置き位置で放尿者が便器から離れる傾向にあるので尿が床下１を汚す欠陥があった。
【０００３】
【発明が解決しようとする課題】
本発明は、従来設置不可能なコーナーなど狭い場所でも設置できるトイレで遮蔽板を不用とし、且つ床汚れもなくすトイレを提供する。
【０００４】
【課題を解決するための手段】
本発明は、便器を壁のコーナーに設置し得るような背面のトイレとし遮蔽板を不要となる。又、花柄等を描きトイレの存在感を消す傾斜した足台を設ける事により床の汚れも少いトイレを提供する。
【０００５】
【発明の実施の形態】
本発明は、便槽背面を内角９０°の建物コーナーにも設置可能に背面を形成するトイレで、図４乃至図１２に示す。
【０００６】
【実施例１】
本発明を以下図面に基づき説明する。
図４は本発明トイレの平面図であり、図５は、図４トイレの正面図である。
【０００７】
図４は本発明トイレ平面図であり、建物の隅の２つの壁８、８附近はデッドスペースとなっており、この空間コーナー９を活用して設置し得る本発明便器１０を示す。
人はＡ点より便器のコーナー１１方向へ向って小便を射出する。便器は背面がほぼ９０°になっている。即ち小便の射出方向に対して便器内壁面１２がほぼ４５°となり、尿や水の流れが、内壁が９０°のコーナーに集り、スムースとなり、便器が常にきれいさを保つ。コーナー９を利用して便器の幅Ｗも深さＤも小さくなり、従って軽く出来、コストダウンと設置作業が容易となる。しかも直角方向のボルト６、６とコーナーとの三点で支持できるので平面壁よりもしっかり安定固定出来る。且つ所要スペースのＷとＤが小さくて済む。又、足の位置は１４の如く、ぐっと便器に近づけるので尿が全量便器に入り、床下１を汚すことがなく、又両壁８が放尿者をかくすので遮蔽板が不要となる。なお注水菅や排水孔１６はコーナーの凹部１１を有効に利用出来るので場所を取らない。
図５は図４の正面図を示す。１１は便器内壁コーナーである。図６は図４を傾斜した形状の実施例の側面図を示す。
図６の如く、本発明便器は小さいので便蓋１８を取りつけるのに好都合である。１５はヒンヂ、１７はフタ持ち手で、１は床、１４は足位置である。なお、フタの開閉は、手を使わずに足踏み動作により自動的に行う事も可能である。なお、足踏み式によるフタの開閉手段は公知の装置を使用する事ができる。又本発明便器は小型なので水を使用しない便器に適している。この場合月一回のフィルタ交換するだけでよい。
【０００８】
本発明の他の実施例として図７は正面図、図８は平面図、図９は側面図を示す。
図７至図９は床立型便器で内壁面１２に花柄などの模様２０をつけ、あたかも花が飾って置いてあり、便器がないと思はせるトイレの発明である。これは勿論図４、図５の如き壁釣型トイレにも適用出来る発明である。
又、本発明の他の実施例として床１に置く縦型の便器１９に於いて、図７、図８及び図９の下方に示すように足元部に傾斜した台２１を便器と一体に設け（分離して造り、合せてもよい。）その上に足を載せると台２１の傾斜面により自然に身体が前方へ前進して放尿者が独りでに便器に接近して放尿するので、床１を汚さない。便器と傾斜した足のせ部２１を一体にした便所床汚れ防止トイレの発明である。２３は尿たれ受部としての凸出部。
【０００９】
図１０は上面から見て四角形とした本発明実施例トイレ便槽２２である。手前コーナー２３が尿タレ受部となる。
なお、上記説明は、約９０°のコーナーで使用する例を述べたが、建物のそのほかの部分に取り付ける事も出来る。
【００１０】
本発明トイレの形状は、前記のほか、図１２、図１３、及び図１４等種々の変形がある。
【００１１】
【発明の効果】
本発明は，上記の如く、従来使われていなかった部屋の隅やそのほかせまいスペースでも設置出来るので空間利用が増大し、コーナーを使用すれば、コーナーの左右の壁で便者の側方をかくすので、遮蔽板が不要となる。又、使用に際し小便を受ける便器壁は小便の射出方向に対して４５°付近に傾斜しているので放射された小便は便器内壁で内側へ反射し、方向を変え中央に集まるので小便が外部へ飛散しないので便器巾と便器壁を小さく出来、又コーナーの深みを利用し尿を集められるので、奥行きも小さく出来、従って便器は小型、軽量、安価となり、場所を取らない。小型軽量で安く設置の費用も少くなる。壁コーナーに設置した場合、三点で支えられるので平面壁取付よりもしっかり固定できる。尿は便器中央コーナーに集中し、飛散しないので床も便器も汚れない。洗滌水もトイレ内壁中央に集中して流れがスムースで便器の汚れをよく洗い流す。又、水を使用しない便器にも適す。また便器壁に花柄等の模様を付することにより、便器の存在感を無くし、汚いという感じがなくなり、便器自身を装飾にするという画期的発想であり便所囲いを不要とする画期的発明である。又、傾斜した足のせ台を便器と一体に設けるという本発明発想により、放尿者は自動的に前進位置で放尿することとなり、便器手前の床を清潔に保持する事が出来る。本発明により便器を小型化出来るので開口部が小さくなるのでフタが小さくなり、これにより衛生的となり臭気が少ない便器となり、便所囲いを不要とし設置費用が低減し、小スぺース面を利用してトイレを設け得て狭い住宅スペースファクタを向上する。本発明は便器を小型にして安価、小スペースなどなど数々の大きな効果がある従来にない便器であるのに、コストが安く実施が容易な、画期的トイレの大発明である。
【図面の簡単な説明】
【図１】公知トイレの平面図
【図２】公知トイレの正面図
【図３】公知トイレの側面図。
【図４】本発明トイレの平面図
【図５】本発明図４トイレの正面図
【図６】本発明傾斜トイレの側面図
【図７】本発明床立型トイレの正面図
【図８】本発明三角型トイレの横断面図
【図９】本発明床立型トイレ側面図
【図１０】本発明四角型トイレ平面図
【図１１】本発明便フタ足踏み持上げ式トイレの平面図
【図１２】本発明トイレの他の平面図
【符号の説明】
１  床
２  壁
３  公知の便器
４  遮蔽板
５  通常の足置き位置
６  取り付けボルト
７  公知排水孔
８  コーナー壁面
９  壁面コーナー
１０  本発明便器
１１  本発明便器内壁コーナー
１２  本発明便器内壁面
１３  本発明便器外壁面側（背面）
１４  本発明便器に対する足置き位置
１５  フタヒンジ
１６  本発明排水孔
１７  持ち手
１８  便蓋
１９  本発明床立型便槽
２０  本発明便器に画いて焼きつけた絵模様
２１  本発明傾斜した足載せ台
２２  四角型本発明便器
２３  尿タレ受け部
【図１】
2004218258.tif 000003
【図２】
2004218258.tif 000004
【図３】
2004218258.tif 000005
【図４】
2004218258.tif 000006
【図５】
2004218258.tif 000007
【図６】
2004218258.tif 000008
【図７】
2004218258.tif 000009
【図８】
2004218258.tif 000010
【図９】
2004218258.tif 000011
【図１０】
2004218258.tif 000012
【図１１】
2004218258.tif 000013
【図１２】
2004218258.tif 000014